(57)【要約】【課題】部品点数が少なく、簡単な構造で容易に楽器本体をスタンドに支持できる電子鍵盤楽器を得る。【解決手段】スタンド２は、左右の妻土台１４，１６に対向して立設した左右の親板１８，２０を備え、また、左右の親板１８，２０の対向する内側面１８ａ，２０ａに案内溝２４，２６をそれぞれ楽器本体１の左右両端を挿入可能に形成する。案内溝２４，２６は左右の親板１８，２０の前面１８ｂ，２０ｂから後方に向かって形成し、楽器本体１の左右両端に案内溝２４，２６に挿入される突部３０，３２を設ける。案内溝２４，２６に楽器本体１の左右両端の突部３０，３２を挿入し、楽器本体１をスタンド２に取り付ける。また、左右の突部３０，３２に親板１８，２０の立設方向と平行方向に突出した突起３６を、また、親板１８，２０に突起３６が嵌入可能な規制溝３８を設ける。【選択図】図３
2008181068.tif 000002
【特許請求の範囲】
【請求項１】
スタンドに楽器本体を取り付けた電子鍵盤楽器において、
前記スタンドは、それぞれ対向して立設した左右の親板を備え、また、左右の前記親板の対向する内側面に案内溝をそれぞれ前記楽器本体の左右両端を挿入可能に形成すると共に、前記案内溝は左右の前記親板の前面から後方に向かって形成し、前記案内溝に前記楽器本体の左右両端を挿入し、前記楽器本体を前記スタンドに取り付けたことを特徴とする電子鍵盤楽器。
【請求項２】
前記案内溝の前記親板前面側に面取り部を形成したことを特徴とする請求項１に記載の電子鍵盤楽器。
【請求項３】
前記楽器本体の左右両端に前記案内溝に挿入される突部を設けたことを特徴とする請求項１又は請求項２に記載の電子鍵盤楽器。
【請求項４】
前記突部先端側に面取り部を形成したことを特徴とする請求項３に記載の電子鍵盤楽器。
【請求項５】
前記楽器本体の左右両端と左右の前記親板との、一方に前記親板の立設方向と平行方向に突出した突起を、また、他方に前記突起が嵌入可能な規制溝を設け、かつ、前記突起と前記規制溝とは、前記案内溝に前記楽器本体の左右両端を挿入する際に、嵌入されることを特徴とする請求項１ないし請求項４のいずれかに記載の電子鍵盤楽器。
【請求項６】
前記楽器本体の左右両端に前記案内溝に挿入可能な突部を設け、かつ、前記楽器本体の左右の前記突部に前記突起をそれぞれ設け、また、左右の前記親板の前記案内溝内に開口する前記規制溝を設けたことを特徴とする請求項５に記載の電子鍵盤楽器。
【請求項７】
前記楽器本体内に配置される部材を固定するねじを、前記楽器本体の外側から前記突部に挿入したことを特徴とする請求項１ないし請求項６のいずれかに記載の電子鍵盤楽器。
【発明の詳細な説明】
【技術分野】
【０００１】
本発明は、電子ピアノ等のスタンドに楽器本体を取り付けた電子鍵盤楽器に関する。
【背景技術】
【０００２】
従来より、特許文献１にあるように、左右の妻土台にそれぞれ側板を立設し、左右の妻土台の間にペダル土台を取り付けてスタンドを形成し、スタンドの左右の側板上端に、楽器本体を載置すると共に、楽器本体と左右の側板とのそれぞれの側面に跨って、親板を面ファスナー等により取り付けるようにしたものが提案されている。
【０００３】
また、特許文献２にあるように、左右の側板の上端に取付金具を設け、側板の上端に楽器本体を載せて取り付ける際に、楽器本体の下面に落下防止用のフックを設けて、取付金具にフックを係合させて、ナット等により楽器本体を固定するまでの間に、楽器本体が落下するのを防止するようにしたものが知られている。
【特許文献１】特開２０００−１４８１４６号公報
【特許文献２】特開２００２−６２８７４号公報（段落番号０００４，０００５、図５）
【発明の開示】
【発明が解決しようとする課題】
【０００４】
しかしながら、こうした特許文献１のものでは、面ファスナーを用いて親板を容易に取り付けることができるが、左右の側板と左右の親板とを備え、面ファスナーにより取り付ける構造であるため、部品点数が多く、構造が複雑になると共に、デザイン上の観点から、親板が側板の側面だけでなく、前後面をも覆う断面形状が略コ字状の構造であるため、親板の形状が複雑になるという問題があった。
【０００５】
また、特許文献２のものでは、組立時の落下防止にのみ使用するフックを設けなければならず、部品点数の増加を招くと共に、楽器本体の下面からフックが飛び出しているために、運搬時の梱包が煩わしく、フックが楽器本体の下面に取り付けられているために、フックを取付金具に掛けたという確認が難しく、掛け損じのおそれがあるという問題があった。
【０００６】
本発明の課題は、部品点数が少なく、簡単な構造で容易に楽器本体をスタンドに支持できる電子鍵盤楽器を提供することにある。
【課題を解決するための手段】
【０００７】
かかる課題を達成すべく、本発明は課題を解決するため次の手段を取った。即ち、
スタンドに楽器本体を取り付けた電子鍵盤楽器において、
前記スタンドは、それぞれ対向して立設した左右の親板を備え、また、左右の前記親板の対向する内側面に案内溝をそれぞれ前記楽器本体の左右両端を挿入可能に形成すると共に、前記案内溝は左右の前記親板の前面から後方に向かって形成し、前記案内溝に前記楽器本体の左右両端を挿入し、前記楽器本体を前記スタンドに取り付けたことを特徴とする電子鍵盤楽器がそれである。その際、前記案内溝の前記親板前面側に面取り部を形成するとよい。
【０００８】
前記楽器本体の左右両端に前記案内溝に挿入される突部を設けた構成としてもよい。その際、前記突部先端側に面取り部を形成するとよい。
また、前記楽器本体の左右両端と左右の前記親板との、一方に前記親板の立設方向と平行方向に突出した突起を、また、他方に前記突起が嵌入可能な規制溝を設け、かつ、前記突起と前記規制溝とは、前記案内溝に前記楽器本体の左右両端を挿入する際に、嵌入される構成としてもよい。その際、前記楽器本体の左右両端に前記案内溝に挿入可能な突部を設け、かつ、前記楽器本体の左右の前記突部に前記突起をそれぞれ設け、また、左右の前記親板の前記案内溝内に開口する前記規制溝を設けた構成としてもよい。
【０００９】
更に、前記楽器本体内に配置される部材を固定するねじを、前記楽器本体の外側から前記突部に挿入してもよい。
【発明の効果】
【００１０】
本発明の電子鍵盤楽器は、親板の案内溝に楽器本体を挿入して支持するので、部品点数が少なく、簡単な構造で楽器本体をスタンドに支持できるという効果を奏する。その際、面取り部を形成すると挿入がより容易になる。また、楽器本体に突部を設けて、突部を案内溝に挿入するようにすると、容易に組み立てることができる。更に、楽器本体と親板との一方に突部を、他方に規制溝を形成することにより、左右の親板の間隔が開くのを防止できる。楽器本体内に配置される部材を固定するねじを、楽器本体の外側から突部に挿入するようにすると、ねじの取付作業が容易になる。
【発明を実施するための最良の形態】
【００１１】
以下本発明を実施するための最良の形態を図面に基づいて詳細に説明する。
図１は本発明の一実施形態としての電子鍵盤楽器の斜視図である。図１に示すように、楽器本体１とこれを支持するスタンド２とを備え、スタンド２は組立式に構成されている。楽器本体１はその左右両側の腕木４，５の間に鍵盤ユニット６が配置され、この鍵盤ユニット６を例えばスライド式に開閉する鍵盤蓋８を備えている。また、電子ピアノ等の電子鍵盤楽器では、各種操作スイッチ類等を有する操作パネル１０が鍵盤ユニット６の後方に取り付けられている。楽器本体１はその上側に天板１１を備え、天板１１には可倒式の譜面台１３が設けられている。
【００１２】
また、スタンド２はペダル土台１２の両側に左右の妻土台１４，１６が配置されると共に、各妻土台１４，１６にはそれぞれ左右の親板１８，２０が立設されている。左右の親板１８，２０の後側には、裏板２２が渡されている。演奏者は、鍵盤ユニット６に向き合って演奏し、以下、左右方向は演奏者からの左右、前後方向は演奏者からの前後をいう。
【００１３】
図２は本実施形態の電子鍵盤楽器を鍵盤蓋８で鍵盤ユニット６に蓋をした状態の楽器本体１とスタンド２とに分解して斜め下から斜め上方を見た分解斜視図である。図３は本実施形態の電子鍵盤楽器を鍵盤蓋８で鍵盤ユニット６に蓋をした状態の楽器本体１とスタンド２とに分解して斜め上から斜め下方を見た分解斜視図である。
【００１４】
図２、図３に示すように、左右の親板１８，２０は平板状に形成されており、左右の妻土台１４，１６に左右の親板１８，２０が対向して立設され、平板状の各親板１８，２０が平行に配置されている。
【００１５】
この左右の親板１８，２０の対向する内側面１８ａ，２０ａには、それぞれ案内溝２４，２６が形成されている。案内溝２４，２６は、内側面１８ａ，２０ａに形成され、また、左右の親板１８，２０の前面１８ｂ，２０ｂに開口されると共に、前面１８ｂ，２０ｂから後方に向かって形成されている。
【００１６】
案内溝２４，２６は、本実施形態では前後方向に長い略矩形に形成され、また、左右の妻土台１４，１６の底面１４ａ，１６ａと案内溝２４，２６の下側面２４ａ，２６ａとが平行になるように形成されている。
【００１７】
楽器本体１の左右両端には、左右方向に突き出した矩形の突部３０，３２が設けられている。突部３０，３２は、前述した案内溝２４，２６に挿入可能に形成されている。矩形の突部３０，３２は、本実施形態では、腕木４，５と腕木４，５の下側にまで延出された楽器本体１の底板３４とにより形成されており、突部３０，３２は腕木４，５の後半部に形成されている。突部３０，３２を案内溝２４，２６に挿入した際には、底板３４が案内溝２４，２６の下側面２４ａ，２６ａに接触する。
【００１８】
突部３０，３２の上側と天板１１との間には隙間が設けられると共に、天板１１の左右方向の長さは、左右の親板１８，２０の外側の間隔とほぼ同じに形成されている。尚、天板１１の前後方向の幅は、親板１８，２０の前後方向の幅とほぼ同じに形成されている。
【００１９】
腕木４，５の前半部と後半部との間には、段差４ａ，５ａが形成されており、左右方向の外側と上側とで、腕木４，５の前半部は突部３０，３２よりも突き出ている。尚、左右の腕木４，５の左右方向の外側の間隔は、左右の親板１８，２０の左右方向の外側の間隔よりも小さく形成されて、案内溝２４，２６に突部３０，３２を挿入した際、腕木４，５よりも左右の親板１８，２０が左右方向の外側にはみ出す状態に形成されている。
【００２０】
図４に示すように、右の突部３２には、右の親板２０の立設方向（上下方向）に突出した突起３６が設けられている。突起３６は、本実施例では、頭部３６ａが丸いボルト状に形成されており、突部３２に螺着されて固定されている。また、突起３６は、突部３２の上面３２ａに設けられると共に、腕木５の段差５ａの近傍に設けられている。図示は省略するが、左の突部３０にも同様の突起が設けられている。
【００２１】
図３、図４に示すように、突部３２の後側端には、突部３２の上方角と側方角とに面取り部３２ｂ，３２ｃが形成されている。底板３４の下方角に面取りは施されていない。面取り部３２ｂ，３２ｃは、突部３２を案内溝２６に挿入しやすくなる大きさに形成すればよい。尚、他方の突部３０についても同様の面取りが施されている。また、面取り加工に限らず、フィレット加工であってもよい。
【００２２】
図５に示すように、右の親板２０には、突起３６を嵌入可能な規制溝３８が形成されており、規制溝３８は案内溝２６の上側面２６ｂを窪ませて、案内溝２６に開口されると共に、右の親板２０の前面２０ｂから後方に向かって形成されている。右の親板２０の前面２０ｂから後方への規制溝３８の長さは、腕木５の段差５ａから突起３６の側端までの長さよりも少し長く形成すればよい。
【００２３】
尚、突起３６を突部３２に、規制溝３８を案内溝２６内に設ける場合に限らず、突起３６を天板１１から下方に突出して設け、右の親板２０の上端面に規制溝３８を設けて、突起３６を規制溝３８に嵌入できるように構成してもよい。また、図示は省略するが、左の親板１８にも同様の規制溝が形成されている。
【００２４】
図２、図５に示すように、右の親板２０の前面２０ｂに開口した案内溝２６の上方角と側方角とには、面取り部２６ｃ，２６ｄが形成されている。案内溝２６の下側面２６ａに面取りは施されていない。面取り部２６ｃ，２６ｄの大きさは、腕木５の段差５ａよりも小さく形成されており、突部３２を案内溝２６に挿入した際に、面取り部２６ｃ，２６ｄが腕木５の段差５ａにより覆われて、外部から面取り部２６ｃ，２６ｄが視認できないように構成されている。尚、他方の案内溝２４についても同様の面取りが施されている。また、面取り加工に限らず、フィレット加工であってもよい
図６は楽器本体１から鍵盤蓋８と天板１１とを取り外した状態の拡大斜視図である。図６に示すように、前述した操作パネル１０は、左右方向の幅が左右の腕木４，５の内側間隔とほぼ同じに形成されており、操作パネル１０の左右両端面には、それぞれねじ穴４１，４２が形成されている。
【００２５】
操作パネル１０は、左右の腕木４，５の間に挿入されると共に、操作パネル１０の左右両端面は、左右の腕木４，５の内側に接触される。左右の腕木４，５の各突部３０，３２には、ねじ穴４１，４２に対応したザグリ穴４４，４５（図６、図７参照）が形成されている。ザグリ穴４４，４５は腕木４，５の左右外側からねじ４７（一方のみ図示する）を挿入するように形成されており、ねじ４７をザグリ穴４４，４５に挿入すると共に、操作パネル１０のねじ穴４１，４２に螺入して、操作パネル１０を左右の腕木４，５に固定している。腕木４，５の左右外側からねじ４７を螺入できるので、組立作業が容易になる。即ち、左右の腕木４，５の内側からねじを螺入するようにすると、左右の腕木４，５の間でドライバーを操作しなければならず、狭い空間での操作となるので組立作業がし難い。
【００２６】
次に、本実施形態の楽器本体１とスタンド２との組み立て手順について説明する。
まず、左右の妻土台１４，１６が取り付けられた左右の親板１８，２０にペダル土台１２が金具４０（一方のみ図示する）を介して取り付けられ、左右の親板１８，２０の後側に裏板２２が取り付けられて、スタンド２が形成される。
【００２７】
そして、左右の親板１８，２０の案内溝２４，２６に、楽器本体１の左右両端の突部３０，３２を挿入する。その際、スタンド２を立てた状態で、楽器本体１を前後方向（水平方向）に移動しながら、突部３０，３２を案内溝２４，２６に挿入してもよく、あるいは、スタンド２を倒して、裏板２２を床面上に寝せ、楽器本体１を９０度回転した状態で下方向に移動して、突部３０，３２を案内溝２４，２６に挿入してもよい。
【００２８】
突部３０，３２を案内溝２４，２６に沿って挿入すると、突起３６も規制溝３８に嵌入される。そして、腕木４，５の段差４ａ，５ａが左右の親板１８，２０の前面１８ｂ，２０ｂに突き当たって、それ以上の挿入を規制する。
【００２９】
挿入した後、楽器本体１の底板３４と左右の親板１８，２０の内側面１８ａ，２０ａとを、Ｌ型の金具４２（一部のみ図示する）とねじ４４とにより固定する。その後、電源コード４６やペダルコード４８を接続する。
【００３０】
左右の親板１８，２０の案内溝２４，２６に、楽器本体１の左右両端の突部３０，３２を挿入することにより、楽器本体１をスタンド２に支持することができ、スタンド２は左右の妻土台１４，１６に左右の親板１８，２０を立設した簡単な構造であり、また、部品点数も少なくすることができる。
【００３１】
楽器本体１の左右両端の突部３０，３２を左右の親板１８，２０の案内溝２４，２６に挿入するので、Ｌ型の金具４２を介して螺入固定する前であっても、楽器本体１はスタンド２に支持され、落下することがないので、安全に組立作業を行うことができる。楽器本体１の下面等にフック等を設ける必要がないので、楽器本体１の梱包箱の形状が単純でよく、梱包作業も容易になる。また、フック等により誤って床面を傷つけるおそれもない。
【００３２】
しかも、電子鍵盤楽器を前側から見た際に、左右の親板１８，２０が楽器本体１の腕木４，５をコ字状に囲む形状であるので、デザイン上、高級感を得ることができる。また、突部３０，３２を案内溝２４，２６に挿入する際に、案内溝２４，２６の周囲の親板１８，２０の前面１８ｂ，２０ｂに傷が付いても、腕木４，５の段差４ａ，５ａにより覆われるので、外観を損なうことがない。
【００３３】
更に、突部３０，３２の先端角に面取り部３２ｂ，３２ｃ（一方のみ図示する）が形成されると共に、案内溝２４，２６の入口角に面取り部２６ｃ，２６ｄ（一方のみ図示する）が形成されている。よって、両面取り部３２ｂ，３２ｃ，２６ｃ，２６ｄにより、左右の案内溝２４，２６に左右の突部３０，３２を容易に挿入することができる。
【００３４】
案内溝２４，２６の下側面２４ａ，２６ａ及び突部３０，３２の下方角に面取りは施されていない。下側に面取りが施されると、面取りに沿って挿入する際に、楽器本体１を持ち上げるようにして挿入することになり、かえって挿入がし難くなり、面取り部に傷が付きやすくなるので、これらを防止している。案内溝２４，２６に面取り部２６ｃ，２６ｄを形成しても、腕木４，５の段差４ａ，５ａにより覆われるので、外観を損なうことがない。
【００３５】
また、左右の案内溝２４，２６に左右の突部３０，３２を挿入する際には、同時に、左右の突起３６（一方のみ図示する）が左右の規制溝３８（一方のみ図示する）に嵌入する。
【００３６】
ここで、左右の突起３６が左右の規制溝３８に嵌入しているので、左右の親板１８，２０が左右方向の外側に開くのを規制できる。よって、重量のある楽器本体１をスタンド２に支持したときや、親板１８，２０の吸湿があったときに、親板１８，２０の変形を抑制し、左右の親板１８，２０が左右に開くのを防止できる。
【００３７】
左右の突部３０，３２が左右の案内溝２４，２６に挿入されるので、左右の突部３０，３２は左右の親板１８，２０により覆われる。よって、左右の突部３０，３２にねじ４７の頭が露出していても、組み立てた際には左右の親板１８，２０により覆われ、外観が損なわれることがない。
【００３８】
次に、本実施形態の電子鍵盤楽器の楽器本体１の内部構造について説明する。図７は左の腕木４にラック板５１と付木５２とを取り付けた状態の拡大斜視図である。図８は腕木４、ラック板５１、付木５２の拡大分解斜視図である。
【００３９】
ラック板５１には、前後方向にラック歯５４とガイド溝５６とが形成されている。腕木４の内側には、ラック板５１の外形に応じた挿入溝５８が形成されると共に、挿入溝５８を上下方向に横切り、挿入溝５８の上下方向にはみ出した収納溝６０が形成されている。収納溝６０は挿入溝５８の深さよりも深く形成されており、ケーブル６２を収納できる大きさに形成されている。
【００４０】
付木５２は腕木４の内側で、ラック板５１の上側に取り付けられると共に、付木５２に形成された貫通孔６４が収納溝６０に重なり合うように取り付けられている。腕木４の内側にも前後方向にガイド溝６６が形成されている。右側の腕木５についても同様であり、左右対称の構造に形成されているが、本実施形態では、右側の腕木５には収納溝６０は形成されていない。
【００４１】
組み立てる際には、まず、収納溝６０にケーブル６２を収納した状態で、ラック板５１を挿入溝５８に挿入して、腕木４に取り付ける。そして、付木５２の貫通孔６４にケーブル６２を挿入して、付木５２を腕木４に取り付ける。
【００４２】
ケーブル６２は、本実施形態では、図１に示すように、鍵盤蓋８よりも上側の楽器本体１の前面側に配置されたＵＳＢ（ｕｎｉｖｅｒｓａｌ  ｓｅｒｉａｌ  ｂｕｓ）端子６８に接続される。尚、ケーブル６２はＵＳＢ端子６８に限らず、フロッピー（登録商標）ディスクドライブやＣＤ−ＲＯＭドライブ等の補助記憶装置等であってもよい。
【００４３】
鍵盤蓋８は、ラック板５１のガイド溝５６と腕木４のガイド溝６６とにガイドされて移動するように構成されており、また、鍵盤蓋８に回転可能に設けられた図示しないピニオン歯車がラック歯５４に噛合されている。
【００４４】
鍵盤蓋８が、ガイド溝５６，６６によりガイドされて移動する際に、鍵盤蓋８がケーブル６２と交差するように移動する。ケーブル６２は収納溝６０に収納されているので、鍵盤蓋８がケーブル６２と干渉することはない。しかも、ケーブル６２は収納溝６０に収納されており、接着テープ等により固定されているのではないので、時間の経過や温度上昇等によって接着テープ等が剥がれて、鍵盤蓋８とケーブル６２とが干渉することもない。ラック板５１の外側をケーブル６２が通るように構成しても、収納溝６０内に収納するので、楽器本体１が大型化することはない。
【００４５】
また、図９に示すように、ＵＳＢ端子６８にＵＳＢメモリ７０等を接続した状態で、支障なく鍵盤蓋８を移動して開閉することができる。よって、ＵＳＢメモリ７０等の使い勝手がよい。
【００４６】
以上本発明はこの様な実施形態に何等限定されるものではなく、本発明の要旨を逸脱しない範囲において種々なる態様で実施し得る。
【図面の簡単な説明】
【００４７】
【図１】本発明の一実施形態としての電子鍵盤楽器の斜視図である。
【図２】本実施形態の電子鍵盤楽器を鍵盤蓋で鍵盤ユニットに蓋をした状態の楽器本体とスタンドとに分解して斜め下から斜め上方を見た分解斜視図である。
【図３】本実施形態の電子鍵盤楽器を鍵盤蓋で鍵盤ユニットに蓋をした状態の楽器本体とスタンドとに分解して斜め上から斜め下方を見た分解斜視図である。
【図４】図３のａ部の拡大斜視図である。
【図５】図２のｂ部の拡大斜視図である。
【図６】本実施形態の楽器本体から鍵盤蓋と天板とを取り外した状態の拡大斜視図である。
【図７】本実施形態の左の腕木にラック板と付木とを取り付けた状態の拡大斜視図である。
【図８】本実施形態の左の腕木、ラック板、付木の拡大分解斜視図である。
【図９】本実施形態の電子鍵盤楽器の鍵盤蓋を閉じた状態の斜視図である。
【符号の説明】
【００４８】
１…楽器本体          ２…スタンド
４，５…腕木          ４ａ，５ａ…段差
６…鍵盤ユニット      ８…鍵盤蓋
１０…操作パネル      １１…天板
１２…ペダル土台      １４，１６…妻土台
１８，２０…親板      １８ａ，２０ａ…内側面
１８ｂ，２０ｂ…前面  ２２…裏板
２４，２６…案内溝    ２４ａ，２６ａ…下側面
２６ｃ，２６ｄ…面取り部
３０，３２…突部      ３４…底板
３６…突起            ３８…規制溝
４０，４２…金具      ５１…ラック板
５２…付木            ５４…ラック歯
５６，６６…ガイド溝  ６０…収納溝
６２…ケーブル        ６８…ＵＳＢ端子
７０…ＵＳＢメモリ
【図１】
2008181068.tif 000003
【図２】
2008181068.tif 000004
【図３】
2008181068.tif 000005
【図４】
2008181068.tif 000006
【図５】
2008181068.tif 000007
【図６】
2008181068.tif 000008
【図７】
2008181068.tif 000009
【図８】
2008181068.tif 000010
【図９】
2008181068.tif 000011